(57)【要約】【課題】蓋体の反り等による変形を防止してケースの気密性の改善を図る。【解決手段】一対の長辺部と一対の短辺部とにて区画された略矩形状になる収納領域に、内容物を充填したドラムとパフ等の塗布具を配置する区画凹所とを並列に配置したケース本体と、このケース本体の一方の長辺部にてヒンジを介して揺動可能に保持され該ケース本体と合わさって収納領域を密閉する蓋体とケース本体側若しくは蓋体側に配置されドラム内部を密閉するシール部材とからなるコンパクトケースにおいて、ケース本体の他方の長辺部に、その長手方向の少なくとも二箇所で蓋体に同時に係合して開放を阻止する係合部を設けるとともに、押圧によってそれぞれの係合を同時に解除するフックピースを設ける。【選択図】        図２
2004173954.tif 000002
【特許請求の範囲】
【請求項１】
一対の長辺部と一対の短辺部とにて区画された略矩形状になる収納領域に、内容物を充填したドラムとパフ等の塗布具を配置する区画凹所とを並列に配置したケース本体と、このケース本体の一方の長辺部にてヒンジを介して揺動可能に保持され該ケース本体と合わさって収納領域を密閉する蓋体と、ケース本体側若しくは蓋体側に配置されドラム内部を密閉するシール部材とからなるコンパクトケースであって、
ケース本体の他方の長辺部に、その長手方向の少なくとも二箇所で蓋体に同時に係合して開放を阻止する係合部を設けるとともに、押圧によってそれぞれの係合を同時に解除するフックピースを設けたことを特徴とするコンパクトケース。
【請求項２】
係合部は、蓋体に係合する少なくとも二つの爪部を有するものであり、フックピースは、係合部の爪部と一体的に連結し長辺部の壁面に押圧可能に弾性支持されるピース本体からなる、請求項１記載のコンパクトケース。
【請求項３】
係合部は、その一方が、ドラム側に偏心して位置し、他方が塗布具を配置する区画凹所側に偏心して位置する、請求項１又は２記載のコンパクトケース。
【発明の詳細な説明】
【０００１】
【発明の属する技術分野】
本発明は、化粧料をパフ等の塗布具とともに収納するコンパクトケースに関するものであり、蓋体の反り等の変形に起因したケースの気密性の低下を防止しようとするものである。
【０００２】
【従来の技術】
コンパクトケースは、その使い勝手の良さから、化粧料を充填したドラムの如き容器をパフ等の塗布具とともに横並びに配置した並列タイプのものが多用されており、そのケース本体は一対の長辺部と一対の短辺部とにて区画された略矩形状になる収納領域を有し、一方の長辺部でヒンジよって蓋体を揺動可能に保持する一方、他方の長辺部にフックを設けて蓋体をケース本体に係止するのが普通であった。
【０００３】
ところで、かかるコンパクトケースは、フックによる蓋体との係合が、ケース本体の長辺部の長手方向中央にて行う構造になっており、ヒンジとフックピースを除いた領域はケース本体と蓋体がシール部材を介して単に合わさった状態であることから、とくに蓋体については、反り等の変形が生じやすく、内容物を充填したドラムと蓋体との相互間にシール部材を配置して気密性を高める構造を採用しても蓋体の変形が大きい場合にはそのシール性に悪影響を与えることも懸念され、揮発性の高い内容物を収納したコンパクトケースにあっては、内容物の品質を安定的に保持することができないところに問題を残していた。
【０００４】
このため、最近では、この種の問題に対処するため、ケース本体と蓋体の係合位置を、内容物を充填した容器に近い箇所にずらして蓋体の変形を防止するようにしたコンパクトケースが提案されている（例えば、特許文献１、特許文献２参照）。
【０００５】
【特許文献１】
実用新案登録第２５３６５６２号明細書。
【０００６】
【特許文献２】
実用新案登録第２６０７４１１号明細書。
【０００７】
しかしながら、上記文献に開示のコンパクトケースは、内容物を充填した容器を含めた領域の蓋体の変形を押さえることができるものの、それを除く他の領域では、ケース本体と蓋体との係合がかえって弱くなる問題があり未だ改善の余地が残されていた。
【０００８】
【発明が解決しようとする課題】
本発明の課題は、ケース本体と蓋体の係合を確実にして高い気密性を確保できる新規なコンパクトケースを提案するところにある。
【０００９】
【課題を解決するための手段】
本発明は、一対の長辺部と一対の短辺部とにて区画された略矩形状になる収納領域に、内容物を充填したドラムとパフ等の塗布具を配置する区画凹所とを並列に配置したケース本体と、このケース本体の一方の長辺部にてヒンジを介して揺動可能に保持され該ケース本体と合わさって収納領域を密閉する蓋体と、ケース本体側若しくは蓋体側に配置されドラム内部を密閉するシール部材とからなるコンパクトケースであって、
ケース本体の他方の長辺部に、その長手方向の少なくとも二箇所で蓋体に同時に係合して開放を阻止する係合部を設けるとともに、押圧によってそれぞれの係合を同時に解除するフックピースを設けたことを特徴とするコンパクトケースである。
【００１０】
係合部は、蓋体に係合する少なくとも二つの爪部を有するものであり、フックピースは、係合部の爪部と一体的に連結し長辺部の壁面に押圧可能に弾性支持されるピース本体にて構成するのが望ましく、さらには二箇所で蓋体に係合する係合部のうち、一方はドラム側に偏心させ、他方は区画凹所側に偏心させた構成とするのが望ましい。なお、シール部材が配置されるケース本体側とは、ケース本体、中枠又はドラムの何れかを指すものとし、蓋体側とは、蓋体、中蓋又は該部分に配されるシール部材固着部材の何れかを指すものとする。
【００１１】
【発明の実施の形態】
以下、図面を参照して本発明をより具体的に説明する。
図１〜７は本発明に従うコンパクトケースの実施の形態を示したものであり、図１は外観斜視図、図２はケース本体の平面図、図３はケース本体の正面図、図４、図５はケース本体の側面図、図６は蓋体の平面図、そして図７（ａ）（ｂ）は要部の断面を示した図である。
【００１２】
図１〜７において１はケース本体である。ケース本体１は一対の長辺部１ａ、１ｂと一対の短辺部１ｃ、１ｄとにて区画された略矩形状になる収納領域に、内容物を充填したドラムｄとパフ等の塗布具を配置する区画凹所ｅとを並列に配置することができるようになっている。
【００１３】
また、２はケース本体１の一方の長辺部１ｂにてヒンジ（枢支ピン）ｈを介して揺動可能に保持され該ケース本体１と合わさって収容領域を密閉する蓋体、３は蓋体２の裏面に設けられたミラー、４は蓋体２の裏面で該ミラー３と並列に設けられたシール部材である。シール部材４は蓋体２がケース本体１に合わさった密閉時にドラムｄの縁部に合致してドラムｄ内を気密状態に維持する。
【００１４】
また、５ａ、５ｂは蓋体２に一体的に設けられた係合爪部、６はケース本体の他方の長辺部１ａの長手方向に沿って設けられ蓋体２の係合爪部５ａ、５ｂに同時に係合してその開放を阻止する係合部、７は図中の矢印（図１参照）の向きに押圧することによってそれぞれの係合を同時に解除することができるフックピースである。
【００１５】
フックピース７は蓋体２の係合爪部５ａに係合する係合部６の爪部６ａ、６ｂと一体的に連結し長辺部１ａの壁面に押圧可能に弾性支持されるピース本体７ａからなっている。なお、上掲の実施の形態では、蓋体２に設けられた係合爪部５ａ、５ｂ及び係合部６の爪部６ａ、６ｂはそれぞれフックピース７のピース本体７ａの中心を境にして、ドラムｄ側、区画凹所ｅ側へ等距離だけ離れて設けられている。
【００１６】
フックピース７の外観を図８に示す。
【００１７】
蓋体２をケース本体１に合致させて収納領域を密閉するとき、蓋体２の係合爪部５ａ、５ｂは、ケース本体１に設けられた係合部６の爪部６ａ、６ｂのそれぞれに同時に係合して確実に密閉される。
【００１８】
また、蓋体２を開放すべく、フックピース７のピース本体７ａを押圧すると、爪部６ａ、６ｂと係合爪部５ａ、５ｂの係合が同時に解除されて蓋体２の開放が可能になる。
【００１９】
本発明に従うコンパクトケースは、図示した如く、係合部６の爪部６ａ、６ｂの二箇所において蓋体２と係合させて蓋体２の反り等による変形が抑える場合を例として示したが、係合箇所はケースのサイズに応じて適宜に変更できるものであり、二箇所のみに限定されるものではない。
【００２０】
【発明の効果】
本発明によれば、コンパクトケースを閉じた状態では、蓋体がケース本体の少なくとも二箇所で係合するので、蓋体の反り等による変形が回避されシール状態が安定的に維持される。
【００２１】
また、フックピースの係合爪をピース本体の中心から均等な位置に設けることでドラム側、塗布具収納側の何れにおいても密閉時に蓋体にかかる力が均等になりより安定的なシールが可能になる。
【図面の簡単な説明】
【図１】本発明に従うコンパクトケースの外観斜視図である。
【図２】図１に示したケースのケース本体の平面図である。
【図３】図２の正面図である。
【図４】図２の左側面図（Ａ−Ａ断面）である。
【図５】図２の右側面図（Ｂ−Ｂ断面）である。
【図６】蓋体の平面図である。
【図７】（ａ）は図２のＣ−Ｃ断面を示した図であり、（ｂ）は図２のＤ−Ｄ断面を示した図である。
【図８】フックピースの外観斜視図である。
【符号の説明】
１ａ  長辺部
１ｂ  長辺部
１ｃ  短辺部
１ｄ  短辺部
２  蓋体
３  ミラー
４  シール部材
５ａ  係合爪部
５ｂ  係合爪部
６  係合部
６ａ  爪部
６ｂ  爪部
７  フックピース
７ａ  ピース本体
ｄ  ドラム
ｅ  区画凹所
ｈ  ヒンジ
【図１】
2004173954.tif 000003
【図２】
2004173954.tif 000004
【図３】
2004173954.tif 000005
【図４】
2004173954.tif 000006
【図５】
2004173954.tif 000007
【図６】
2004173954.tif 000008
【図７】
2004173954.tif 000009
【図８】
2004173954.tif 000010